(57)【要約】【課題】浴槽水を洗濯機等に供給するときの水道側への逆流を防止することを目的としたものである。【解決手段】浴槽水を洗濯機２へ供給する浴槽水供給回路７もしくは浴槽へ循環させる浴槽水循環回路８とを切り換える流路切り換え弁９と、浴槽水供給回路７を開閉する２方弁１０と、浴槽水を搬送する循環ポンプ１２と、逆流防止装置１１を流路切り換え弁９の上流側に設けることにより、水道断水時には逆流防止装置１１の排水口が開放され逆流防止装置１１に設けられた排水口の先が流路切換弁９を迂回して浴槽水循環回路８と接続された排水通路１６から、浴槽から汲み上げた浴槽水を浴槽に戻し、浴槽水が水道側に逆流するのを防止できるものである。【選択図】図１
2005195242.tif 000002
【特許請求の範囲】
【請求項１】
注水弁を介して水道水を供給する注水経路および注湯弁を介して湯を供給する注湯経路および流路切換弁を介して浴槽水を供給する浴槽水供給回路よりなる洗濯注湯装置であって、前記流路切換弁は循環ポンプにより供給される浴槽水を前記浴槽水供給回路あるいは浴槽水循環回路に切り換え、前記流路切換弁の上流側には水道圧の有無で開閉する開放弁を有するとともに、洗濯機へ水を供給する注水弁と、洗濯機へ湯を供給する注湯弁と、水・湯回路への逆流を防止する逆止弁と浴槽水を洗濯機へ供給する浴槽水供給回路もしくは浴槽へ循環させる浴槽水循環回路とを切り換える流路切換弁の間に通路を開閉する２方弁を有し、前記開放弁が開放時に浴槽水を排水する排水通路を有した逆流防止装置を設け、前記排水通路は前記流路切換弁を迂回して浴槽水循環回路に接続し、前記開放弁は連結棒を介して水道圧の有無に関係なく電気的に開閉できる構成とした洗濯注湯装置。
【請求項２】
開放弁はタイマーにより所定周期で開閉する構成とした請求項１記載の洗濯注湯装置。
【請求項３】
注水弁を介して水道水を供給する注水経路および注湯弁を介して湯を供給する注湯経路および流路切換弁を介して浴槽水を供給する浴槽水供給回路よりなる洗濯注湯装置であって、前記流路切換弁は循環ポンプにより供給される浴槽水を前記浴槽水供給回路あるいは浴槽水循環回路に切り換え、前記流路切換弁の上流側には水道圧の有無で開閉する開放弁を有するとともに、前記開放弁が開放時に浴槽水を排水する排水通路を有した逆流防止装置を設け、前記逆流防止装置には、水道圧を導く圧力管と、該圧力管途中に水道圧導入経路を切り換える切換弁とを設け、前記切換弁を大気開放側に切り換えたとき前記開放弁が開状態となる構成とした請求項１記載の洗濯注湯装置。
【請求項４】
切換弁は電気的に切換可能な構成とした請求項３記載の洗濯注湯装置。
【請求項５】
切換弁はタイマーにより所定周期で開閉する構成とした請求項３または４記載の洗濯注湯装置。
【発明の詳細な説明】
【技術分野】
【０００１】
本発明は、浴槽水循環加熱機能を有する風呂給湯機と組み合わせることで、水または給湯機からの湯、または浴槽の残り湯を洗濯機に供給する洗濯注湯装置に関するものである。
【背景技術】
【０００２】
従来この種の洗濯注湯システムは、図７に示す通り、給湯および浴槽水の循環加熱ができる風呂給湯機等１と、洗濯機２へ水を供給する注水弁３と、洗濯機２へ湯を供給する注湯弁４と、水・湯回路への逆流を防止する逆止弁５と浴槽水６を洗濯機２へ供給する浴槽水供給回路７もしくは浴槽６へ循環させる浴槽水循環回路８とを切り換える流路切り換え弁９と、風呂給湯機等１に組み込まれ浴槽水６を搬送する循環ポンプ１０とから構成されており、水、湯、浴槽水６のいずれかを洗濯機２へ供給している。また、逆止弁５で浴槽水６が水道側に逆流するのを防止している（例えば、特許文献１参照）。
【特許文献１】特開平１０−２２０８７５号公報
【発明の開示】
【発明が解決しようとする課題】
【０００３】
しかしながら従来の洗濯注湯システムでは、水道が断水し、かつ、逆止弁にゴミが噛み込んだ場合には、浴槽水を洗濯機に供給しようとすると、浴槽水が水道へ逆流して安全衛生上、非常に問題があった。
【課題を解決するための手段】
【０００４】
前記従来の課題を解決するために、本発明の洗濯注湯装置、注水弁を介して水道水を供給する注水経路および注湯弁を介して湯を供給する注湯経路および流路切換弁を介して浴槽水を供給する浴槽水供給回路よりなる洗濯注湯装置であって、前記流路切換弁は循環ポンプにより供給される浴槽水を前記浴槽水供給回路あるいは浴槽水循環回路に切り換え、前記流路切換弁の上流側には水道圧の有無で開閉する開放弁を有するとともに、洗濯機へ水を供給する注水弁と、洗濯機へ湯を供給する注湯弁と、水・湯回路への逆流を防止する逆止弁と浴槽水を洗濯機へ供給する浴槽水供給回路もしくは浴槽へ循環させる浴槽水循環回路とを切り換える流路切換弁の間に通路を開閉する２方弁を有し、前記開放弁が開放時に浴槽水を排水する排水通路を有した逆流防止装置を設け、前記排水通路は前記流路切換弁を迂回して浴槽水循環回路に接続し、前記開放弁は連結棒を介して水道圧の有無に関係なく電気的に開閉できる構成としたものである。
【０００５】
これによって、水道断水時には逆流防止装置の大気開放弁が開放され浴槽から汲み上げた浴槽水を排水通路から流路切換弁を迂回して浴槽水循環経路を経由して浴槽に戻すようにしているため、逆止弁にゴミが付着しても浴槽水が水道側に逆流しない洗濯注湯装置を供給することができ、かつ、所定周期で開放弁を駆動することで開放弁の固着を防止することができる。さらに、開放弁が固着したとしても洗濯機へ水を供給する注水弁と、洗濯機へ湯を供給する注湯弁と、水・湯回路への逆流を防止する逆止弁と浴槽水を洗濯機へ供給する浴槽水供給回路もしくは浴槽へ循環させる浴槽水循環回路とを切り換える流路切換弁の間に通路を開閉する２方弁を閉じることにより浴槽水が水道側に逆流することを防止できる。
【発明の効果】
【０００６】
本発明の洗濯注湯装置は、水道が断水し逆止弁にゴミが噛み込んだ場合に、浴槽水を洗濯機に供給しようとしても浴槽水が逆流防止装置の排水通路から流路切換弁を迂回して排水されるため、水道側への逆流を防止することができるという有利な効果を有するとともに、大気開放弁の固着を防止し逆流防止に対する信頼性を向上することができる。さらに、開放弁が固着したとしても洗濯機へ水を供給する注水弁と、洗濯機へ湯を供給する注湯弁と、水・湯回路への逆流を防止する逆止弁と浴槽水を洗濯機へ供給する浴槽水供給回路もしくは浴槽へ循環させる浴槽水循環回路とを切り換える流路切換弁の間に通路を開閉する２方弁を閉じることにより浴槽水が水道側に逆流することを防止できる。
【発明を実施するための最良の形態】
【０００７】
第１の発明は、注水弁を介して水道水を供給する注水経路および注湯弁を介して湯を供給する注湯経路および流路切換弁を介して浴槽水を供給する浴槽水供給回路よりなる洗濯注湯装置であって、前記流路切換弁は循環ポンプにより供給される浴槽水を前記浴槽水供給回路あるいは浴槽水循環回路に切り換え、前記流路切換弁の上流側には水道圧の有無で開閉する開放弁を有するとともに、洗濯機へ水を供給する注水弁と、洗濯機へ湯を供給する注湯弁と、水・湯回路への逆流を防止する逆止弁と浴槽水を洗濯機へ供給する浴槽水供給回路もしくは浴槽へ循環させる浴槽水循環回路とを切り換える流路切換弁の間に通路を開閉する２方弁を有し、前記開放弁が開放時に浴槽水を排水する排水通路を有した逆流防止装置を設け、前記排水通路は前記流路切換弁を迂回して浴槽水循環回路に接続し、前記開放弁は連結棒を介して水道圧の有無に関係なく電気的に開閉できる構成としたことを特徴とするもので、水道が断水した場合、浴槽水を循環ポンプで搬送しようとすると、逆流防止装置の大気開放弁が開放され浴槽から汲み上げた浴槽水を排水通路から流路切換弁を迂回して浴槽水循環経路を経由して浴槽に戻すようにすることで、逆止弁にゴミが付着していも浴槽水が水道側に逆流するという現象は防止できる。さらに、開放弁が固着したとしても洗濯機へ水を供給する注水弁と、洗濯機へ湯を供給する注湯弁と、水・湯回路への逆流を防止する逆止弁と浴槽水を洗濯機へ供給する浴槽水供給回路もしくは浴槽へ循環させる浴槽水循環回路とを切り換える流路切換弁の間に通路を開閉する２方弁を閉じることにより浴槽水が水道側に逆流することを防止できる。
【０００８】
また、開放弁は電気的に開閉できる構成としているため、簡単な操作で開閉でき、開放弁の固着を防止して逆流防止装置の信頼性を向上することができる。
【０００９】
第２の発明は、開放弁をタイマーにより所定周期で開閉する構成としたことを特徴とするものであり、タイマーにより所定周期で自動的に開放弁を開閉させることで、開放弁の固着防止効果をより高めることができ、逆流防止装置の信頼性をさらに向上することができる。
【００１０】
第３の発明は、注水弁を介して水道水を供給する注水経路および注湯弁を介して湯を供給する注湯経路および流路切換弁を介して浴槽水を供給する浴槽水供給回路よりなる洗濯注湯装置であって、前記流路切換弁は循環ポンプにより供給される浴槽水を前記浴槽水供給回路あるいは浴槽水循環回路に切り換え、前記流路切換弁の上流側には水道圧の有無で開閉する開放弁を有するとともに、前記開放弁が開放時に浴槽水を排水する排水通路を有した逆流防止装置を設け、前記逆流防止装置には、水道圧を導く圧力管と、該圧力管途中に水道圧導入経路を切り換える切換弁とを設け、前記切換弁を大気開放側に切り換えたとき前記開放弁が開状態となる構成としたことを特徴とするもので、水道圧の導入経路を切り換えるという簡単な構成で開放弁の開閉を行うことができ、構成の簡素化を図りながら、開放弁の固着を防止することができる。さらに、開放弁が固着したとしても洗濯機へ水を供給する注水弁と、洗濯機へ湯を供給する注湯弁と、水・湯回路への逆流を防止する逆止弁と浴槽水を洗濯機へ供給する浴槽水供給回路もしくは浴槽へ循環させる浴槽水循環回路とを切り換える流路切換弁の間に通路を開閉する２方弁を閉じることにより浴槽水が水道側に逆流することを防止できる。
【００１１】
第４の発明は、切換弁を電気的に切換可能な構成としたことを特徴とするものであり、スイッチ操作等の簡単な操作で開放弁の固着を防止することができる。
【００１２】
第５の発明は、切換弁をタイマーにより所定周期で開閉する構成としたことを特徴とするものであり、タイマーにより所定周期で自動的に切換弁を切り換え、開放弁を開閉させることで、開放弁の固着防止効果をより高めることができ、逆流防止装置の信頼性をさらに向上することができる。
【００１３】
以下、本発明の実施の形態について、図面を参照しながら説明する。なお、本実施の形態によって本発明が限定されるものではない。
【００１４】
（実施の形態１）
図１は、本発明の第１の実施の形態における洗濯注湯装置を示す全体構成図である。
【００１５】
図において、給湯および浴槽水の循環加熱ができる風呂給湯機１と、洗濯機２へ水を供給する注水弁３と、洗濯機２へ湯を供給する注湯弁４と、水・湯回路への逆流を防止する逆止弁５と、浴槽水６を洗濯機２へ供給する浴槽水供給回路７もしくは浴槽６へ循環させる浴槽水循環回路８とを切り換える流路切り換え弁９と、前記逆止弁５と流路切り換え弁９の間に配設した２方弁１０と、前記流路切り換え弁９の上流に設けた逆流防止装置１１と、風呂給湯機１に組み込まれ浴槽水６を搬送する循環ポンプ１２とから構成されている。
【００１６】
図２は、本実施の形態の洗濯注湯装置における逆流防止装置１１を示す部品構成図である。１８は注水弁３の上流側水回路に接続した水道圧導入口で、１３は圧力室で前記水道圧導入口１８より水道元圧を導いている。１４はダイアフラム、１５は大気開放弁、１６は排水口の先が流路切換弁９を迂回して浴槽水循環回路８と接続された排水通路、１７は止水スプリングで、このばね１７の力は、水が無い場合のように他に力が殆どかからない場合にのみ、弁を開く程度の小さな力に設定している。１９は前記大気開放弁１５に連結し所定の条件で大気開放弁１５を開閉するための連結棒である。この連結棒１９を介してモーター２０等の動力駆動により、電気的信号２１を用いて開閉することで、大気開放弁１５の固着を防止し、逆流防止機能の信頼性を確保するようにしている。さらに、浴槽水が浴槽水循環回路８を循環中は前記注水弁３、注湯弁４、２方弁１０を閉じることにより、浴槽水が水道側に逆流するという現象を確実に防止することができる。
【００１７】
以上のように構成された洗濯注湯装置について、以下その動作、作用を説明する。
【００１８】
まず、水道水が通常に供給されている場合、注水弁３を開弁し洗濯機２へ水を供給する。また、注湯弁４を開弁し洗濯機へ湯を供給する。２方弁１０は開状態である。また、流路切り換え弁９を浴槽水供給回路７に切り換え循環ポンプ１２を運転すると、２方弁１０を閉状態とする。水道元圧を導いている圧力室１３に水道元圧がかかり、浴槽水循環回路８の圧力に打ち勝ってダイアフラム１４が浴槽水循環回路８側に移動し大気開放弁１５が閉じられ、洗濯機へ浴槽水６を供給する（ばね１７は、大気開放弁１５を開く方向に付勢しているが小さな力に設定しているため、大気開放弁１５は開かない）。
【００１９】
次に、水道が断水した場合、注水弁３を開弁しても何の変化も起きない。また、注湯弁４を開弁しても何の変化も起きない。また、流路切り換え弁９を浴槽水供給回路７に切り換え循環ポンプ１２を運転すると、水道元圧を導いている圧力室１３の圧力がなくなり、止水スプリング１７の力と、浴槽水循環回路８の圧力によりダイアフラム１４が浴槽水循環回路８から遠ざかる方向に移動し大気開放弁１５が開き、浴槽水６が排水口の先が流路切換弁９を迂回して浴槽水循環回路８と接続された排水通路１６から流れ出し浴槽側に排出される。したがって、浴槽水６が水道側および風呂給湯機１側に逆流することはなくなる。さらに連結棒１９を介してモーター２０等の動力駆動により、電気的信号２１を用いて前記大気開放弁１５を開閉することで大気開放弁１５の固着を防止することができ逆流防止の信頼性が向上する。さらに、浴槽水が浴槽水循環回路８を循環中は前記注水弁３、注湯弁４、２方弁１０を閉じることにより、浴槽水が水道側に逆流するという現象を確実に防止することができる。
【００２０】
（実施の形態２）
図３は、本発明の第２の実施形態の洗濯注湯装置における逆流防止装置１１を示す部品構成図である。
【００２１】
実施の形態１と異なる点は、前記大気開放弁１５を電気的信号で開閉できる機能を有する逆流防止制御装置を、大気開放弁１５を開閉できる機能を有した連結棒１９をモーター２０等の動力駆動により、電気的信号２１をタイマー２２により所定周期で開閉するシーケンスを備えたもので、前記タイマー２２により所定周期で大気開放弁１５を開閉することで、大気開放弁１５の固着を防止することができ、逆流防止装置の信頼性が向上する。
【００２２】
（実施の形態３）
図４は、本発明の第３の実施形態の洗濯注湯装置における逆流防止装置１１を示す部品構成図である。
【００２３】
実施例１と異なる点は、逆流防止装置１１に、水道圧を導く圧力管２５と、該圧力管２５途中に水道圧導入経路を切り換える切換弁２６とを設け、前記切換弁２６を大気開放側に切り換えたとき前記開放弁２４が開状態となる構成としたもので、前記切換弁２６の一方は圧力室１３に連結し、他方は大気開放側に接続してある。
【００２４】
以上のように構成された洗濯注湯装置について、以下その動作、作用を説明する。
【００２５】
まず、水道水が通常に供給されている場合、切換弁２６が水道元圧を導いている圧力室１３に連通している状態において、注水弁３を開弁し洗濯機へ水を供給する。また、注湯弁４を開弁し洗濯機へ湯を供給する。また、流路切り換え弁９を浴槽水供給回路７に切り換え循環ポンプ１２を運転すると水道元圧を導いている圧力室１３に水道元圧がかかり、浴槽水循環回路８の圧力に打ち勝ちダイアフラム１４が浴槽水循環回路８側に移動し大気開放弁２４が閉じられ、洗濯機へ浴槽水６を供給する（ばね１７は、大気開放弁２４を開く方向に付勢しているが小さな力に設定しているため、大気開放弁２４は開かない）。
【００２６】
次に、水道が断水した場合、注水弁３を開弁しても何の変化も起きない。また、注湯弁４を開弁しても何の変化も起きない。また、流路切り換え弁９を浴槽水供給回路７に切り換え循環ポンプ１２を運転すると水道元圧を導いている圧力室１３の圧力がなくなり、止水スプリング１７の力と、浴槽水循環回路８の圧力によりダイアフラム１４が浴槽水循環回路８から遠ざかる方向に移動し大気開放弁２４が開き浴槽水６が排水口の先が流路切換弁９を迂回して浴槽水循環回路８と接続された排水通路１６から浴槽に排出される。したがって、浴槽水６が水道側および風呂給湯機等１側に逆流することはなくなる。
【００２７】
つぎに、切替弁２６が水道元圧を導いている圧力室１３と閉状態で大気開放側と連通している状態において、圧力室１３には水道元圧はかからず、大気開放状態となり、浴槽水循環回路８の圧力が打ち勝ちダイアフラム１４が浴槽水循環回路８側と反対方向に移動し大気開放弁２４が開き大気開放弁２４の固着を防止することができ逆流防止の信頼性が向上する。
【００２８】
（実施例４）
図５は、本発明の第４の実施の形態の洗濯注湯装置における逆流防止装置１１を示す部品構成図である。
【００２９】
実施の形態３と異なる点は、切換弁２６をモーター２７等の動力駆動により、電気的信号２８を用いて切り換え、大気開放弁２４を開閉することで、大気開放弁２４の固着を防止することができ逆流防止の信頼性が向上する。
【００３０】
（実施例５）
図６は、本発明の第５の実施の形態の洗濯注湯装置における逆流防止装置１１を示す部品構成図である。
【００３１】
実施の形態３と異なる点は、切換弁２６をモーター２７等の動力駆動により、電気的信号２８を用いて前記大気開放弁２４を電気的信号で開閉できる機能を有し、タイマー２９により所定周期で開閉するシーケンスを備えることにより、大気開放弁２４を開閉することで大気開放弁２４の固着を防止することができ逆流防止の信頼性が向上する。
【産業上の利用可能性】
【００３２】
以上のように、本発明にかかる洗濯注湯装置は、水道が断水し逆止弁にゴミが噛み込んだ場合に、浴槽水を洗濯機に供給しようとしても浴槽水が逆流防止装置の排水通路から流路切換弁を迂回して排水され、水道側への逆流を防止することができるという有利な効果を有するとともに、大気開放弁の固着を防止し逆流防止の信頼性が向上することができるため、浴槽の残り湯を洗濯機へ供給するシステム全般に利用することができる。
【図面の簡単な説明】
【００３３】
【図１】本発明の実施の形態１の洗濯注湯装置を示す全体構成図
【図２】同洗濯注湯装置における逆流防止装置を示す部品構成図
【図３】本発明の実施の形態２の洗濯注湯装置における逆流防止装置を示す部品構成図
【図４】本発明の実施の形態３の洗濯注湯装置における逆流防止装置を示す部品構成図
【図５】本発明の実施の形態４の洗濯注湯装置における逆流防止装置を示す部品構成図
【図６】本発明の実施の形態５の洗濯注湯装置における逆流防止装置を示す部品構成図
【図７】従来の洗濯注湯装置の全体構成図
【符号の説明】
【００３４】
１  風呂給湯機
２  洗濯機
３  注水弁
４  注湯弁
５  逆止弁
６  浴槽水
７  浴槽水供給回路
８  浴槽水循環回路
９  流路切換弁
１０  ２方弁
１１  逆流防止装置
１２  循環ポンプ
１４  大気開放弁
１５  排水通路
【図１】
2005195242.tif 000003
【図２】
2005195242.tif 000004
【図３】
2005195242.tif 000005
【図４】
2005195242.tif 000006
【図５】
2005195242.tif 000007
【図６】
2005195242.tif 000008
【図７】
2005195242.tif 000009